【手続補正書】
【提出日】平成22年2月2日(2010.2.2)
【手続補正１】
【補正対象書類名】特許請求の範囲
【補正対象項目名】請求項２０
【補正方法】変更
【補正の内容】
【請求項２０】
種類が未知である未知ディスクを回転させ、対物レンズによって第１の光ディスクに対応する第１の光ビームを集光して上記未知ディスクに照射し、上記未知ディスクに対して上記対物レンズを離隔又は近接させるフォーカス方向に上記対物レンズを駆動させるフォーカスサーチステップと、
上記未知ディスクによって上記光ビームが反射されてなる第１の戻り光ビームの和光量を表す第１の再生信号を生成する信号処理ステップと、
上記第１の再生信号に基づいて上記未知ディスクから上記第１の光ディスクに対応する第１の信号記録面を検出する検出ステップと
を有する信号記録面検出方法。
【手続補正２】
【補正対象書類名】特許請求の範囲
【補正対象項目名】請求項２２
【補正方法】変更
【補正の内容】
【請求項２２】
光ディスクを回転させ、光源から出射される光ビームを集光して上記光ディスクに照射し、上記光ディスクに対して離隔又は近接させるフォーカス方向に上記光ビームの焦点を変位させるフォーカスサーチステップと、
上記光ディスクによって上記光ビームが反射されてなる戻り光ビームの和光量を表す再生信号を生成する信号処理ステップと、
上記再生信号に基づいて上記光ディスクから信号記録面を検出する検出ステップと
を有する信号記録面検出方法。
【手続補正３】
【補正対象書類名】明細書
【補正対象項目名】００２２
【補正方法】変更
【補正の内容】
【００２２】
また本発明の信号記録面検出方法においては、種類が未知である未知ディスクを回転させ、対物レンズによって第１の光ディスクに対応する第１の光ビームを集光して未知ディスクに照射し、未知ディスクに対して対物レンズを離隔又は近接させるフォーカス方向に対物レンズを駆動させるフォーカスサーチステップと、未知ディスクによって光ビームが反射されてなる第１の戻り光ビームの和光量を表す第１の再生信号を生成する信号処理ステップと、第１の再生信号に基づいて未知ディスクから第１の光ディスクに対応する第１の信号記録面を検出する検出ステップとを設けるようにした。
【手続補正４】
【補正対象書類名】明細書
【補正対象項目名】００２６
【補正方法】変更
【補正の内容】
【００２６】
さらに本発明の信号記録面検出方法においては、光ディスクを回転させ、光源から出射される光ビームを集光して光ディスクに照射し、光ディスクに対して離隔又は近接させるフォーカス方向に光ビームの焦点を変位させるフォーカスサーチステップと、光ディスクによって光ビームが反射されてなる戻り光ビームの和光量を表す再生信号を生成する信号処理ステップと、再生信号に基づいて光ディスクから信号記録面を検出する検出ステップとを設けるようにした。
【手続補正５】
【補正対象書類名】明細書
【補正対象項目名】００３４
【補正方法】変更
【補正の内容】
【００３４】
因みに２値化処理により、２値化再生データＤＲＦにおいて信号レベルが「Ｈｉｇｈ」の期間及び「Ｌｏｗ」期間のタイミングは、再生信号ＳＲＦの信号レベルが基準レベルＳＬ以上となる「Ｈｉｇｈ」の期間と信号レベルが基準レベル以下となる「Ｌｏｗ」の期間のタイミングからずれることになる。しかしながら２値化再生データＤＲＦと再生信号ＳＲＦでは、「Ｈｉｇｈ」及び「Ｌｏｗ」の期間が互いに対応しており、その間隔が同一になるようになされている。なお再生信号ＳＲＦにおける基準レベルＳＬは、当該再生信号ＳＲＦにおける「Ｈｉｇｈ」及び「Ｌｏｗ」の期間がほぼ同一になるように決定されている。
【手続補正６】
【補正対象書類名】明細書
【補正対象項目名】００３５
【補正方法】変更
【補正の内容】
【００３５】
ここで、ＢＤ（Blu-ray Disc、登録商標）方式、ＤＶＤ（Digital Versatile Disc）方式又はＣＤ（Compact Disc）方式でなる光ディスク１００では、方式ごとの規格により立ち上がりエッジと立ち下がりエッジとの間隔（以下、これをデータエッジ間隔と呼ぶ）が、所定のエッジ長になるように記録マークＲＭのマーク長さが決められている。なお２値化再生データＤＲＦが「Ｌｏｗ」レベルから「Ｈｉｇｈ」レベルに切り替わるタイミングを立ち上がりエッジと呼び、２値化再生データＤＲＦが「Ｈｉｇｈ」レベルから「Ｌｏｗ」レベルに切り替わるタイミングを立ち下がりエッジと呼ぶ。
【手続補正７】
【補正対象書類名】明細書
【補正対象項目名】００５２
【補正方法】変更
【補正の内容】
【００５２】
この光ピックアップ５は、いわゆる３波長対応型となっており、波長約７８０［ｎｍ］でなるＣＤ用光ビームを出射するＣＤ用レーザダイオード６ｃ、波長約６６０［ｎｍ］でなるＤＶＤ用光ビームＬｄを出射するＤＶＤ用レーザダイオード６ｄ、及び波長約４０５［ｎｍ］でなるＢＤ用光ビームを出射するＢＤ用レーザダイオード６ｂ（以下、これらを総称してレーザダイオード６と呼ぶ）を有している。
【手続補正８】
【補正対象書類名】明細書
【補正対象項目名】０１１０
【補正方法】変更
【補正の内容】
【０１１０】
この結果フォトディテクタ９は、ＤＶＤ用光ビームＬｄが未知ディスク１００ｘによって反射されてなるＤＶＤ用戻り光ビームＬｄｒを受光する。フォトディテクタ９は、ＤＶＤ用戻り光ビームＬｄｒの受光量に応じた受光信号を生成し、信号処理部１０に供給する。
【手続補正９】
【補正対象書類名】明細書
【補正対象項目名】０１２１
【補正方法】変更
【補正の内容】
【０１２１】
図９では、便宜上、最もフェイクパターンＰｆが多く出現するＣＤメディア１００ｃに対し、対物レンズ７を最離隔位置からＣＤ記録面を検出するまでの間ＣＤ用光ビームＬｃを照射した場合について示している。なお実際は光ビームを切り換えるため、図８とは各種信号の波形が若干相違することになる。
【手続補正１０】
【補正対象書類名】明細書
【補正対象項目名】０１２４
【補正方法】変更
【補正の内容】
【０１２４】
ＦＯＫ＿ＲＦ検出部１２は、ディスク判定処理を実行するものの、再生信号ＳＲＦｃに記録マークに応じた変動が表われないため、当該再生信号ＳＲＦｃに基づいてＣＤ記録面を検出することはない。そしてＦＯＫ＿ＰＩ検出部１３は、プルイン信号ＳＰＩが計測閾値未満となると、計測タイミング信号ＦＯＫ＿ＰＩを「Ｌｏｗ」レベルに立ち下げる。このとき制御部２は、記録面確認信号ＦＯＫが立ち上がらないため、サーチ動作をそのまま継続する。
【手続補正１１】
【補正対象書類名】明細書
【補正対象項目名】０１４０
【補正方法】変更
【補正の内容】
【０１４０】
すなわちＢＤメディア１００ｂの場合、対象エッジ長Ｎの値（Ｎａ：２Ｔ＝３０［ｎｓｅｃ］、Ｎｂ：３Ｔ＝４５［ｎｓｅｃ］、Ｎｃ：４Ｔ＝６１［ｎｓｅｃ］）に１０％を加減した値を対象エッジ長Ｎに対応する対象閾値範囲として設定する。なお対象閾値範囲は図１３（Ｂ）において斜線で示す値（Ｎａ：２７〜３３［ｎｓｅｃ］（すなわち２７［ｎｓｅｃ］以上、３３［ｎｓｅｃ］以下、以下同様の意味で〜を用いる）Ｎｂ：４１〜５０［ｎｓｅｃ］、Ｎｃ：５５〜６７［ｎｓｅｃ］）となる。
【手続補正１２】
【補正対象書類名】明細書
【補正対象項目名】０１４２
【補正方法】変更
【補正の内容】
【０１４２】
さらにＣＤメディア１００ｃの場合、対象エッジ長Ｎの値（Ｎａ：３Ｔ＝１７４［ｎｓｅｃ］、Ｎｂ：４Ｔ＝２３１［ｎｓｅｃ］、Ｎｃ：５Ｔ＝２８９［ｎｓｅｃ］）に１０％を加減した値を対象エッジ長に対応する対象閾値範囲として設定する。なお対象閾値範囲は図１３（Ｂ）において斜線で示す値（Ｎａ：１５６〜１９１［ｎｓｅｃ］、Ｎｂ：２０８〜２５５［ｎｓｅｃ］、Ｎｃ：２６０〜３１８［ｎｓｅｃ］）となる。
【手続補正１３】
【補正対象書類名】明細書
【補正対象項目名】０１７０
【補正方法】変更
【補正の内容】
【０１７０】
ステップＳＰ７において、制御部２は、未知ディスク１００ｘの半径方向における対物レンズ７の位置に応じたＤＶＤ回転数で未知ディスク１００ｘを回転させると共に、対物レンズ７をフォーカス方向に移動させながらＤＶＤ用光ビームＬｄを未知ディスク１００ｘに対して照射することにより、判別対象ディスクをＤＶＤメディア１００ｄとしてサーチ動作を開始する。また制御部２は、信号処理部１０によりＤＶＤ用戻り光ビームＬｄｒに基づいてフォーカスエラー信号ＳＲＦ及び再生信号ＳＲＦｄの生成を開始すると、次のステップＳＰ８へ移る。
【手続補正１４】
【補正対象書類名】明細書
【補正対象項目名】０１７８
【補正方法】変更
【補正の内容】
【０１７８】
ステップＳＰ１２において、制御部２は、未知ディスク１００ｘの半径方向における対物レンズ７の位置に応じたＣＤ回転数で未知ディスク１００ｘを回転させると共に、対物レンズ７をフォーカス方向に移動させながらＣＤ用光ビームＬｃを未知ディスク１００ｘに対して照射することにより、判別対象ディスクをＣＤメディア１００ｃとしてサーチ動作を開始する。また制御部２は、信号処理部１０によりＣＤ用戻り光ビームＬｃｒに基づいてフォーカスエラー信号ＳＲＦ及び再生信号ＳＲＦｃの生成を開始すると、次のステップＳＰ１３へ移る。
【手続補正１５】
【補正対象書類名】明細書
【補正対象項目名】０２１４
【補正方法】変更
【補正の内容】
【０２１４】
また光ディスク装置１は、第２の光ディスクであるＤＶＤメディア１００ｄに対応する第２の光ビームとしてのＤＶＤ用光ビームＬｄを集光して未知ディスク１００ｘに照射する。光ディスク装置１は、未知ディスク１００ｘによってＤＶＤ用光ビームＬｄが反射されてなる第２の戻り光ビームとしてのＤＶＤ用戻り光ビームＬｄｒの和光量を表す第２の再生信号としての再生信号ＳＲＦｄを生成する。
【手続補正１６】
【補正対象書類名】明細書
【補正対象項目名】０２３１
【補正方法】変更
【補正の内容】
【０２３１】
また上述した第１の実施の形態においては、対物レンズ７を未知ディスク１００ｘに対して近接させる近接方向（一方向）へ移動させながら、当該対物レンズ７がＤＶＤ切換位置及びＣＤ切換位置まで移動するとＤＶＤ用光ビームＬｄ及びＣＤ用光ビームＬｃに切り換えるようにした場合について述べたが、本発明はこれに限られない。本発明では、例えばＤＶＤ切換位置及びＣＤ切換位置で対物レンズ７を一旦停止させ、未知ディスク１００ｘの回転数がＤＶＤ回転数及びＣＤ回転数に安定してから対物レンズ７を再び移動させるようにしても良い。
【手続補正１７】
【補正対象書類名】明細書
【補正対象項目名】０２６０
【補正方法】変更
【補正の内容】
【０２６０】
ここで例えば５０［μｓｅｃ］に亘って検出エッジ数を計測する場合、ＢＤメディア１００ｂ（１倍速）から５０［μｓｅｃ］をエッジ間隔平均値（５１．４８［ｎｓｅｃ］）で除算した約９７１個が理論上検出されるべき基準エッジ数となる。
【手続補正１８】
【補正対象書類名】明細書
【補正対象項目名】０２９４
【補正方法】変更
【補正の内容】
【０２９４】
具体的に光ディスク装置５１の制御部２は、例えば未知ディスク１００ｘが装填されると、まずＢＤメディア１００ｂを判別対象ディスクとし、サーチ動作を実行する。実際上制御部２は、ＢＤ回転数で未知ディスク１００ｘを回転させると共に、ＢＤ用光ビームＬｂを照射しながら対物レンズ７を最離隔位置から未知ディスク１００ｘに近接させる方向に所定の移動速度で移動させる。このとき制御部２は、第１の実施の形態と同様に、プルイン信号ＳＰＩが計測閾値以上となると、信号処理部１０によってディスク判定処理を実行する。
【手続補正１９】
【補正対象書類名】明細書
【補正対象項目名】０２９５
【補正方法】変更
【補正の内容】
【０２９５】
制御部２は、ディスク判定処理の結果、ＢＤ記録面が確認されたことを表す記録面確認信号ＦＯＫが供給されるか、又は対物レンズ７をＤＶＤ切換位置まで移動させると、ＤＶＤメディアを判別対象ディスクとし、サーチ動作を実行する。実際上制御部２は、対物レンズ７を移動速度で移動させながら未知ディスク１００ｘをＢＤ回転数のまま回転させると共に、照射する光ビームをＤＶＤ用光ビームＬｄに切換える。このとき制御部２は、ＢＤメディア１００ｂを判別対象ディスクとしたときと同様にしてディスク判定処理を実行する。
【手続補正２０】
【補正対象書類名】明細書
【補正対象項目名】０２９６
【補正方法】変更
【補正の内容】
【０２９６】
制御部２は、ディスク判定処理の結果、ＤＶＤ記録面が確認されたことを表す記録面確認信号ＦＯＫが「Ｈｉｇｈ」レベルに立ち上がるか、又は対物レンズ７をＣＤ切換位置まで移動させると、ＣＤメディアを判別対象ディスクとし、サーチ動作を実行する。実際上制御部２は、対物レンズ７を移動速度で移動させながら未知ディスク１００ｘをＢＤ回転数のまま回転させると共に、照射する光ビームをＣＤ用光ビームＬｃに切換える。このとき制御部２は、ＢＤメディア１００ｂを判別対象ディスクとしたときと同様にしてディスク判定処理を実行する。
【手続補正２１】
【補正対象書類名】明細書
【補正対象項目名】０３０６
【補正方法】変更
【補正の内容】
【０３０６】
光ディスク装置５１の制御部２は、情報の記録又は再生の対象となるＤＶＤ記録面を判別対象記録面とし、ＤＶＤ記録面に応じたサーチ動作を実行する。実際上制御部２は、ＤＶＤ回転数でハイブリッドメディア１００ｈを回転させると共に、ＤＶＤ用光ビームＬｄを照射しながら対物レンズ７を所定の位置からハイブリッドメディア１００ｈに近接させる方向に所定の移動速度で移動させる。
【手続補正２２】
【補正対象書類名】明細書
【補正対象項目名】０３１１
【補正方法】変更
【補正の内容】
【０３１１】
（４−３）ディスク判定処理
ここで１倍速のＢＤ回転数は、ＤＶＤ回転数（１倍速）の約１．４倍に相当する。同様に１倍速のＢＤ回転数は、ＣＤ回転数（１倍速）の約２．０５倍に相当する。このときの２値化再生データＤＲＦにおける各エッジ長のエッジデータ間隔を図２０（Ａ）に示している。またエッジデータ間隔の値が他の種類の光ディスク１００と重複しないものを、斜線で示している。
【手続補正２３】
【補正対象書類名】明細書
【補正対象項目名】０３１４
【補正方法】変更
【補正の内容】
【０３１４】
すなわちＢＤメディア１００ｂの場合、対象エッジ長Ｎの値（Ｎａ：２Ｔ＝３０［ｎｓｅｃ］、Ｎｂ：３Ｔ＝４５［ｎｓｅｃ］、Ｎｃ：４Ｔ＝６１［ｎｓｅｃ］）に１０％を加減した値を対象エッジ長Ｎに対応する対象閾値範囲として設定する。なお対象閾値範囲は図２０（Ｂ）において斜線で示す値（Ｎａ：２７及び３３［ｎｓｅｃ］、Ｎｂ：４１及び５０［ｎｓｅｃ］、Ｎｃ：５５及び６７［ｎｓｅｃ］）となる。
【手続補正２４】
【補正対象書類名】明細書
【補正対象項目名】０３１５
【補正方法】変更
【補正の内容】
【０３１５】
またＤＶＤメディア１００ｄの場合、対象エッジ長Ｎの値（Ｎａ：５Ｔ＝１３７［ｎｓｅｃ］、Ｎｂ：６Ｔ＝１６４［ｎｓｅｃ］、Ｎｃ：７Ｔ＝１９１［ｎｓｅｃ］）に１０％を加減した値を対象エッジ長に対応する対象閾値範囲として設定する。なお対象閾値範囲は図２０（Ｂ）において斜線で示す値（Ｎａ：１２３及び１５０［ｎｓｅｃ］、Ｎｂ：１４７及び１８０［ｎｓｅｃ］、Ｎｃ：１７２及び２１０［ｎｓｅｃ］）となる。
【手続補正２５】
【補正対象書類名】明細書
【補正対象項目名】０３１６
【補正方法】変更
【補正の内容】
【０３１６】
さらにＣＤメディア１００ｃの場合、対象エッジ長Ｎの値（Ｎａ：４Ｔ＝４５１［ｎｓｅｃ］、Ｎｂ：５Ｔ＝５６４［ｎｓｅｃ］、Ｎｃ：６Ｔ＝６７７［ｎｓｅｃ］）に１０％を加減した値を対象エッジ長に対応する対象閾値範囲として設定する。なお対象閾値範囲は図２０（Ｂ）において斜線で示す値（Ｎａ：４０６及び４９７［ｎｓｅｃ］、Ｎｂ：５０８及び６２１［ｎｓｅｃ］、Ｎｃ：６１０及び７４５［ｎｓｅｃ］）となる。
【手続補正２６】
【補正対象書類名】明細書
【補正対象項目名】０３１８
【補正方法】変更
【補正の内容】
【０３１８】
（４−４）処理手順
（４−４−１）メディア種類判別処理手順
次に、メディア種類判別プログラムに従って実行されるメディア種類判別処理手順ＲＴ２について、図２１に示すフローチャートを用いて説明する。
【手続補正２７】
【補正対象書類名】明細書
【補正対象項目名】０３２２
【補正方法】変更
【補正の内容】
【０３２２】
ステップＳＰ５４において、制御部２は、ディスク判定処理において記録面確認信号ＦＯＫが「Ｈｉｇｈ」レベルに立ち上がったか否かについて判別し、肯定結果が得られた場合、制御部２は、次のステップＳＰ５５へ移る。
【手続補正２８】
【補正対象書類名】明細書
【補正対象項目名】０３２６
【補正方法】変更
【補正の内容】
【０３２６】
これに対してステップＳＰ５６において肯定結果が得られた場合、制御部２は、もはやＢＤ記録面が存在する可能性がないため、次のステップＳＰ５７へ移る。
【手続補正２９】
【補正対象書類名】明細書
【補正対象項目名】０３３０
【補正方法】変更
【補正の内容】
【０３３０】
ステップＳＰ６０において、制御部２は、未知ディスク１００ｘからＤＶＤ記録面が検出されたと認識し、次のステップＳＰ６２へ移る。
【手続補正３０】
【補正対象書類名】明細書
【補正対象項目名】０３３３
【補正方法】変更
【補正の内容】
【０３３３】
これに対してステップＳＰ６１において肯定結果が得られた場合、制御部２は、もはやＤＶＤ記録面が存在する可能性がないため、次のステップＳＰ６２へ移る。
【手続補正３１】
【補正対象書類名】明細書
【補正対象項目名】０３４０
【補正方法】変更
【補正の内容】
【０３４０】
これに対してステップＳＰ６６において肯定結果が得られた場合、制御部２は、もはやＣＤ記録面が存在する可能性がないため、次のステップＳＰ６７へ移る。
【手続補正３２】
【補正対象書類名】明細書
【補正対象項目名】０３４９
【補正方法】変更
【補正の内容】
【０３４９】
このとき光ディスク装置５１は、未知ディスク１００ｘからＢＤ記録面のみを検出した場合に、当該未知ディスク１００ｘがＢＤメディア１００ｂであると判別する。光ディスク装置５１は、未知ディスク１００ｘからＤＶＤ記録面のみを検出した場合に、当該未知ディスク１００ｘがＤＶＤメディア１００ｄであると判別する。